(57)【要約】【課題】ネットワーク機器に設定されているアドレスを容易に通知する。【解決手段】アドレス出力部１７が、一定時間ごとに、または／および、アドレス通知要求操作の入力に応じて、アドレス記憶部１５で記憶しているアドレスを、通信ポート１６から外部接続されている表示器３０へ出力する。【選択図】  図１
2014165619.tif 000002
【特許請求の範囲】
【請求項１】
通信回線を介してデータ通信を行うネットワーク機器であって、
前記データ通信に用いる自己のアドレスを記憶するアドレス記憶部と、
一定時間ごとに、または／および、アドレス通知要求操作の入力に応じて、前記アドレス記憶部で記憶しているアドレスを、通信ポートから外部接続されている表示器へ出力するアドレス出力部と
を備えることを特徴とするネットワーク機器。
【請求項２】
請求項１に記載のネットワーク機器において、
数字を表示するＬＥＤ表示器をさらに備え、
前記アドレス出力部は、前記通信ポートに代えて前記ＬＥＤ表示器へ前記アドレスを出力することを特徴とするネットワーク機器。
【請求項３】
通信回線を介してデータ通信を行うネットワーク機器で用いられるアドレス通知方法であって、
アドレス記憶部が、前記データ通信に用いる自己のアドレスを記憶するアドレス記憶ステップと、
アドレス出力部が、一定時間ごとに、または／および、アドレス通知要求操作の入力に応じて、前記アドレス記憶部で記憶しているアドレスを、通信ポートから外部接続されている表示器へ出力するアドレス出力ステップと
を備えることを特徴とするアドレス通知方法。
【請求項４】
請求項３に記載のアドレス通知方法において、
前記アドレス出力部は、前記通信ポートに代えて、当該ネットワーク機器に設けられた数字を表示するＬＥＤ表示器へ、前記アドレスを出力することを特徴とするアドレス通知方法。
【発明の詳細な説明】
【技術分野】
【０００１】
本発明は、ネットワーク機器に割り当てたアドレスを通知するアドレス通知技術に関する。
【背景技術】
【０００２】
工業プラントやビルなど、規模の大きい施設を監視・管理する施設管理システムでは、監視サーバなどの上位装置が、ＬＡＮなどの通信回線を介して、コントローラなどの各種ネットワーク機器とデータ通信を行うことにより、これらネットワーク機器から各種情報を収集し、あるいはこれらネットワーク機器を制御するものとなっている。
【０００３】
これらネットワーク機器には、それぞれのネットワーク機器ごとに固有のアドレスが割り当てられている。したがって、上位装置とネットワーク機器との間で送受信するパケットに、このアドレスを指定することにより、共通の通信回線を介して各ネットワーク機器が上位装置との間でデータ通信を行うことが可能となる。
【０００４】
従来、ネットワーク機器の１つであるプロトコル変換装置を用いて、フィールドバスに接続されているフィールド機器をＬＡＮに接続する際、予め固有のアドレスが割り当てられているフィールドバスに、当該アドレスと対応するフィールド機器が正しく接続されていることを確認するため、フィールド機器を接続する端子ユニットに当該アドレスに対応する照合値を設定しておき、プロトコル変換装置に端子ユニットが取り付けられた際に、プロトコル変換装置のメモリに登録されているアドレスと端子ユニットから取得した照合値とを自動照合する技術が提案されている（例えば、特許文献１など参照）。
【先行技術文献】
【特許文献】
【０００５】
【特許文献１】特開２００６−２９５５３４号公報
【発明の概要】
【発明が解決しようとする課題】
【０００６】
このようなネットワーク機器では、それぞれのネットワーク機器に設定したアドレスを確認したい場合がある。例えば、メンテナンス作業によりネットワーク機器を交換する場合には、それまで使用していたネットワーク機器と同じアドレスを、新たなネットワーク機器に再設定する必要がある。このような場合に備えて、作業者は、ネットワーク機器を設置した際、そのアドレスをメモしておき、後日、そのメモに基づいて、新たなネットワーク機器にアドレスを再設定するものとなっている。
【０００７】
このようなアドレスをメモする方法では、メモを紛失した場合には、ネットワーク機器でアドレスの設定内容を再確認する必要がある。
しかしながら、従来技術によれば、上位装置にネットワーク機器を接続する際に、アドレスを自動照合することができるものの、割り当てられたアドレス自体については容易に確認できないという問題点があった。
【０００８】
また、ネットワーク機器には、ＬＣＤなどの表示器を搭載したものがあり、このようなネットワーク機器では、キー操作や外部からの指示入力に応じて、ネットワーク機器内部のメモリに保存されているアドレスを表示器に表示させることも考えられる。
一方、表示器を搭載しておらず、ロータリースイッチなどの設定スイッチでアドレスを設定するネットワーク機器については、アドレスを表示できないため、設定スイッチの状態を視認してアドレスを確認することになる。
【０００９】
しかし、これら設定スイッチは、操作頻度が極めて低く、また第三者が容易に設定変更できないようにするため、多くの場合、機器の前面ではなく裏側や内部に配置されている。このため、設定スイッチを容易に視認することができないため、結果としてネットワーク機器に設定されているアドレスを容易に確認できないという問題点があった。
【００１０】
本発明はこのような課題を解決するためのものであり、ネットワーク機器に設定されているアドレスを容易に通知することができるアドレス通知技術を提供することを目的としている。
【課題を解決するための手段】
【００１１】
このような目的を達成するために、本発明にかかるネットワーク機器は、通信回線を介してデータ通信を行うネットワーク機器であって、前記データ通信に用いる自己のアドレスを記憶するアドレス記憶部と、一定時間ごとに、または／および、アドレス通知要求操作の入力に応じて、前記アドレス記憶部で記憶しているアドレスを、通信ポートから外部接続されている表示器へ出力するアドレス出力部とを備えている。
【００１２】
また、本発明にかかる上記ネットワーク機器の一構成例は、数字を表示するＬＥＤ表示器をさらに備え、前記アドレス出力部が、前記通信ポートに代えて前記ＬＥＤ表示器へ前記アドレスを出力するようにしたものである。
【００１３】
また、本発明にかかるアドレス通知方法は、通信回線を介してデータ通信を行うネットワーク機器で用いられるアドレス通知方法であって、アドレス記憶部が、前記データ通信に用いる自己のアドレスを記憶するアドレス記憶ステップと、アドレス出力部が、一定時間ごとに、または／および、アドレス通知要求操作の入力に応じて、前記アドレス記憶部で記憶しているアドレスを、通信ポートから外部接続されている表示器へ出力するアドレス出力ステップとを備えている。
【００１４】
また、本発明にかかる上記アドレス通知方法の一構成例は、前記アドレス出力部が、前記通信ポートに代えて、当該ネットワーク機器に設けられた数字を表示するＬＥＤ表示器へ、前記アドレスを出力するようにしたものである。
【発明の効果】
【００１５】
本発明によれば、一定時間ごとにアドレスが通信ポートから表示器へ出力されるため、作業者がネットワーク機器の通信ポートに外部接続すれば、ネットワーク機器に設定されているアドレスを表示器で確認することができる。また、作業者がアドレス通知要求操作を行うことにより、ネットワーク機器に設定されているアドレスを、任意のタイミングで表示器により確認することができる。
【図面の簡単な説明】
【００１６】
【図１】第１の実施の形態にかかるネットワーク機器の構成を示すブロック図である。
【図２】第１の実施の形態にかかるアドレス通知処理を示すフローチャートである。
【図３】第１の実施の形態にかかる他のアドレス通知処理を示すフローチャートである。
【図４】第２の実施の形態にかかるネットワーク機器の構成を示すブロック図である。
【図５】第２の実施の形態にかかるアドレス通知処理を示すフローチャートである。
【発明を実施するための形態】
【００１７】
次に、本発明の実施の形態について図面を参照して説明する。
［第１の実施の形態］
まず、図１を参照して、本発明の第１の実施の形態にかかるネットワーク機器１０について説明する。図１は、第１の実施の形態にかかるネットワーク機器の構成を示すブロック図である。
【００１８】
このネットワーク機器１０は、コントローラなどの処理装置からなり、予め設定されたアドレスを用いて、通信回線Ｌ１を介して接続された上位装置５０との間でデータ通信を行う機能を有している。
【００１９】
本発明では、ネットワーク機器１０が、工業プラントやビルなど、規模の大きい施設を監視・管理する施設管理システムで用いられるコントローラからなる場合を例として説明するが、ネットワーク機器１０がコントローラに限定されるものではなく、アドレスを用いてデータ通信を行う処理装置であれば、同様にして本発明を適用できる。
【００２０】
ネットワーク機器１０には、主な機能部として、通信Ｉ／Ｆ部１１、伝送Ｉ／Ｆ部１２、制御部１３、操作入力部１４、アドレス記憶部１５、通信ポート１６、アドレス出力部１７、およびＬＥＤ表示器１８が設けられている。
【００２１】
通信Ｉ／Ｆ部１１は、通信制御回路からなり、ＬＡＮなどの通信回線Ｌ１を介して、監視サーバなどの上位装置５０との間でデータ通信を行う機能を有している。
伝送Ｉ／Ｆ部１２は、伝送制御回路からなり、フィールドバスなどの伝送路Ｌ２を介して、各種のフィールド機器２０と間でデータ伝送を行う機能を有している。フィールド機器２０は、各種センサにより圧力、流量、液面、液位、温度、湿度などの物理量を検出する検出器がある。
【００２２】
制御部１３は、ＣＰＵなどの演算処理回路からなり、伝送Ｉ／Ｆ部１２を介してフィールド機器２０から各種情報を収集し、アドレス記憶部１５に設定されているアドレスに基づいて、これら情報を通信Ｉ／Ｆ部１１を介して上位装置５０へ通知する機能と、アドレス記憶部１５に設定されているアドレスに基づいて、通信Ｉ／Ｆ部１１を介して上位装置５０からの指示を受信し、当該指示に応じたコマンドを伝送Ｉ／Ｆ部１２からフィールド機器２０へ通知することにより、フィールド機器２０を制御する機能とを有している。
【００２３】
操作入力部１４は、操作キーや設定スイッチを有し、作業者によるアドレス設定操作やアドレス通知要求操作などの各種操作を検出して出力する機能を有している。
アドレス記憶部１５は、半導体メモリを有し、操作入力部１４で検出されたアドレス設定操作に応じて、当該アドレス設定操作で入力されたアドレスを、当該ネットワーク機器１０で用いる固有のアドレスとして半導体メモリで記憶する機能を有している。
【００２４】
通信ポート１６は、ＵＳＢなどのデータ通信ポートからなり、ネットワーク機器１０の外部に接続された表示器３０とデータ通信を行うことにより、当該ネットワーク機器１０のアドレスなどの各種情報を表示器３０に出力する機能を有している。
【００２５】
表示器３０は、パーソナルコンピュータやスマートフォンなどからなるポータブルの携帯情報端末であり、データ通信で受信した情報をＬＣＤなどの表示画面に表示する機能を有している。施設管理システムでは、このような表示器３０を作業者が携帯して、ネットワーク機器１０やフィールド機器２０のメンテナンスを行うものとなっている。
【００２６】
アドレス出力部１７は、一定時間ごとに、または／および、アドレス通知要求操作の入力に応じて、アドレス記憶部１５で記憶しているアドレスを読み出して、通信ポート１６から外部接続されている表示器３０へ出力する機能を有している。
【００２７】
［第１の実施の形態の動作］
次に、図２を参照して、本実施の形態にかかるネットワーク機器１０の動作について説明する。図２は、第１の実施の形態にかかるアドレス通知処理を示すフローチャートである。
アドレス出力部１７は、電源投入後のネットワーク機器１０の起動に応じて、図２のアドレス通知処理を実行する。
【００２８】
アドレス出力部１７は、まず、アドレス記憶部１５から自己のアドレスを読み出して（ステップ１００）、通信ポート１６から外部接続されている表示器３０へ出力する（ステップ１０１）。
この後、アドレス出力部１７は、アドレス出力から一定時間経過したか確認する（ステップ１０２）。この際、時間経過については、例えばＣＰＵのタイマ機能を用いればよい。
【００２９】
ここで、アドレス出力から一定時間経過していない場合（ステップ１０２：ＮＯ）、アドレス出力部１７は、操作入力部１４でアドレス通知要求操作があったかどうか確認し（ステップ１０３）、アドレス通知要求操作がなかった場合（ステップ１０３：ＮＯ）、ステップ１０２へ戻る。
【００３０】
一方、ステップ１０３において、アドレス通知要求操作があった場合（ステップ１０３：ＹＥＳ）、ステップ１００へ移行して、アドレスを出力する。
また、ステップ１０２において、アドレス出力から一定時間経過した場合（ステップ１０２：ＹＥＳ）、ステップ１００へ移行して、アドレスを出力する。
【００３１】
［第１の実施の形態の効果］
このように、本実施の形態は、アドレス出力部１７が、一定時間ごとに、または／および、アドレス通知要求操作の入力に応じて、アドレス記憶部１５で記憶しているアドレスを、通信ポート１６から外部接続されている表示器３０へ出力するようにしたものである。
【００３２】
これにより、一定時間ごとにアドレスが通信ポート１６から表示器３０へ出力されるため、作業者がネットワーク機器１０の通信ポート１６に外部接続すれば、ネットワーク機器１０に設定されているアドレスを表示器３０で確認することができる。
また、作業者が操作入力部１４でアドレス通知要求操作を行うことにより、ネットワーク機器１０に設定されているアドレスを、任意のタイミングで表示器３０により確認することができる。
【００３３】
なお、図２のアドレス通知処理では、一定時間ごとと、アドレス通知要求操作のいずれについても、アドレス出力する場合を例として説明したが、これに限定されるものではなく、一定時間ごとと、アドレス通知要求操作のうちのいずれか一方について、アドレス出力するようにしてもよい。
【００３４】
また、図２のアドレス通知処理では、表示器３０が通信ポート１６に接続されていない場合でも、アドレスが通信ポート１６に出力される。ここで、ＵＳＢなどの一般的な通信ポートでは、機器が接続されているか否かを確認する機能を有している。このため、アドレス通知処理の中で、表示器３０が接続されているか否かを通信ポート１６で確認するようにしてもよい。
【００３５】
図３は、第１の実施の形態にかかる他のアドレス通知処理を示すフローチャートである。図２と比較して、ステップ１００の直前に、表示器３０の接続確認ステップ１１０が追加されている。
すなわち、ステップ１１０において、アドレス出力部１７は、通信ポート１６により表示器３０の接続有無を確認する。ここで、表示器３０の接続ありが確認された場合（ステップ１１０：ＹＥＳ）、ステップ１００へ移行し、表示器３０の接続ありが確認されなかった場合（ステップ１１０：ＮＯ）、ステップ１０２へ移行する。
【００３６】
これにより、通信ポート１６に表示器３０が接続されている場合にのみ、アドレスが通信ポート１６から表示され、表示器３０が接続されていないにも関わらず、アドレス出力を行うという無駄な処理を省くことができる。
【００３７】
［第２の実施の形態］
次に、図４を参照して、本発明の第２の実施の形態にかかるネットワーク機器１０について説明する。図４は、第２の実施の形態にかかるネットワーク機器の構成を示すブロック図である。
【００３８】
第１の実施の形態と比較して、本実施の形態では、ＬＥＤ表示器１８が追加されている。このＬＥＤ表示器１８は、７セグメントＬＥＤやドットマトリクスＬＥＤからなり、入力されたデータを数字やアルファベットで表示する機能を有している。これにより、従来のようにＬＣＤ表示器を利用する場合と比較して、極めて簡素な回路でアドレスを表示でき、コスト削減にも繋がる。
【００３９】
また、アドレスは複数桁の数字を用いて表現される場合が多い。例えば、ＩＰアドレスは、４〜１２桁の数字と３つのドットで表現されるため、最大１５桁も必要となる。一方、ネットワーク機器１０によっては機器サイズが小さく、ＬＥＤ表示器１８の実装面積を確保することが難しい場合もある。
【００４０】
このため、本実施の形態では、１桁のＬＥＤ表示器１８を用いて、アドレスを１桁ずつローテーション表示する。例えば、アドレス「１９２．１６８．１．１」を表示する場合、数秒程度の間隔で「１」→「９」→「２」→「．」→「１」→「６」→「８」→「．」→「１」→「．」→「１」と順に表示する。これにより、最低限の実装面積で複数桁からなるアドレスを表示できる。
本実施の形態にかかるその他の構成については、第１の実施の形態と同様であり、ここでの詳細な説明は省略する。
【００４１】
［第２の実施の形態の動作］
次に、図５を参照して、本実施の形態にかかるネットワーク機器１０の動作について説明する。図５は、第２の実施の形態にかかるアドレス通知処理を示すフローチャートである。
アドレス出力部１７は、電源投入後のネットワーク機器１０の起動に応じて、図５のアドレス通知処理を実行する。
【００４２】
アドレス出力部１７は、まず、アドレス記憶部１５から自己のアドレスを読み出して（ステップ２００）、ＬＥＤ表示器１８へ出力する（ステップ２０１）。
この後、アドレス出力部１７は、アドレス出力から一定時間経過したか確認する（ステップ２０２）。この際、時間経過については、例えばＣＰＵのタイマ機能を用いればよい。
【００４３】
ここで、アドレス出力から一定時間経過していない場合（ステップ２０２：ＮＯ）、アドレス出力部１７は、操作入力部１４でアドレス通知要求操作があったかどうか確認し（ステップ２０３）、アドレス通知要求操作がなかった場合（ステップ２０３：ＮＯ）、ステップ２０２へ戻る。
【００４４】
一方、ステップ２０３において、アドレス通知要求操作があった場合（ステップ２０３：ＹＥＳ）、ステップ２００へ移行して、アドレスを出力する。
また、ステップ２０２において、アドレス出力から一定時間経過した場合（ステップ２０２：ＹＥＳ）、ステップ２００へ移行して、アドレスを出力する。
【００４５】
［第２の実施の形態の効果］
このように、本実施の形態は、数字を表示するＬＥＤ表示器１８をさらに備え、アドレス出力部１７が、通信ポート１６に代えてＬＥＤ表示器１８へアドレスを出力するようにしたものである。
これにより、表示器３０を必要とすることなく、簡素な回路を追加するだけで、ネットワーク機器１０のアドレスを確認できる。
【００４６】
［実施の形態の拡張］
以上、実施形態を参照して本発明を説明したが、本発明は上記実施形態に限定されるものではない。本発明の構成や詳細には、本発明のスコープ内で当業者が理解しうる様々な変更をすることができる。また、各実施形態については、矛盾しない範囲で任意に組み合わせて実施することができる。
【符号の説明】
【００４７】
１０…ネットワーク機器、１１…通信Ｉ／Ｆ部、１２…伝送Ｉ／Ｆ部、１３…制御部、１４…操作入力部、１５…アドレス記憶部、１６…通信ポート、１７…アドレス出力部、１８…ＬＥＤ表示器、２０…フィールド機器、３０…表示器、５０…上位装置、Ｌ１…通信回線、Ｌ２…伝送路。
【図１】
2014165619.tif 000003
【図２】
2014165619.tif 000004
【図３】
2014165619.tif 000005
【図４】
2014165619.tif 000006
【図５】
2014165619.tif 000007